(57)【特許請求の範囲】
【請求項１】
内容物を収容する内部空間、および第１開口部を有する袋と、
前記第１開口部を開封および密封するファスナーと
を有するパウチであって、
前記袋は、前記内部空間を形成する袋本体部と、前記内部空間に内容物を入れるための開放された第２開口部と、前記第１開口部の縁に形成されて前記ファスナーを密封する開口シール部と、前記開口シール部を前記第１開口部から分離するための開口ガイド線と、前記内部空間から蒸気を抜くための通蒸部と、前記通蒸部を密封する通蒸シール部と、前記通蒸シール部を前記通蒸部から分離するための通蒸ガイド線と、前記ファスナーを切断する切断部とを有し、
前記第１開口部は、前記通蒸部と連続して形成され、
前記開口シール部は、前記通蒸シール部と連続して形成され、
前記ファスナーは、前記第１開口部上に位置する開口ファスナー部と、前記通蒸シール部上に位置する通蒸ファスナー部とを有し、前記第１開口部および前記通蒸シール部にまたがり形成され、
前記切断部は、前記通蒸ガイド線の端部と対応する位置に形成され、
前記第２開口部が前記袋本体部の側方部に形成され、前記側方部から前記袋の外方に向けて突出している
パウチ。
【請求項２】
前記パウチは、スタンディングパウチとしての形態を有し、底ガゼットを有し、
前記底ガゼットは、前記袋本体部を支持している
請求項１に記載のパウチ。
【請求項３】
前記袋本体部は、前記側方部である第１側方部と、前記第１側方部とは反対側の側方部である第２側方部とを有し、
前記第２側方部は、前記第２開口部に対応する凹形状を有する
請求項１または２に記載のパウチ。
【請求項４】
前記袋は、前記ファスナーに対して前記内部空間側に位置する袋所定部分を有し、
前記切断部は、前記ファスナーを切断する中間切断部と、前記中間切断部に連続して前記袋所定部分を切断する第１所定切断部と、前記第１所定切断部における前記内部空間側の端部に位置する第２所定切断部と、前記第１所定切断部と前記第２所定切断部とを分断する中断部分とを有する
請求項１〜３のいずれか一項に記載のパウチ。
【請求項５】
前記袋は、前記切断部の延長線上において切断抑制構造を有し、
前記切断抑制構造は、前記切断部の延長線上に沿う前記袋のシール部の切断が前記内部空間に到達することを妨げる構造を有する
請求項１〜４のいずれか一項に記載のパウチ。
【請求項６】
前記袋は、易開封シール部を有し、
前記易開封シール部は、前記第１開口部を密封し、前記ファスナーに対して前記内部空間側に形成されている
請求項１〜５のいずれか一項に記載のパウチ。
【請求項７】
前記第２開口部にシール加工が施された請求項１〜６のいずれか一項に記載のパウチと、前記パウチに収容された内容物とを有する内容物封入パウチ。
【請求項８】
請求項１〜６のいずれか一項に記載のパウチと、
前記内部空間に収容された内容物と
を含む内容物封入パウチを製造するための製造方法であって、
前記ファスナーにより前記第１開口部が閉鎖された前記パウチを製造する工程と、
前記第２開口部が形成された前記パウチのうちの前記第２開口部の両隣をチャックし、前記第２開口部から前記内部空間に内容物を充填する工程と、
前記内容物が充填された後に前記第２開口部をシールする工程と
を備える内容物封入パウチの製造方法。
【発明の詳細な説明】
【技術分野】
【０００１】
本発明は、内容物を収容する内部空間、および内部空間に内容物を入れるための第１開口部を有する袋と、第１開口部を開封および密封するファスナーとを有するパウチ、内容物封入パウチ、および、その製造方法に関する。
【背景技術】
【０００２】
特許文献１は、パウチおよび内容物封入パウチの一例を開示している。
特許文献１のパウチは、開口を有する包装体（袋）と、開口を開封および密封するジッパー部材（ファスナー）とを有する。特許文献１の内容物封入パウチは、パウチと、食材（内容物）とを有する。
【０００３】
内容物封入パウチは、次の製造方法により製造される。まず、ノズルによりパウチの開口から内部空間に食材が充填される。次に、ジッパー閉じ装置によりジッパー部材が閉じられる。次に、シール装置により包装体の開口にシール加工が施される。これにより、食材が封入された包袋体の内部空間が密閉される。すなわち、内容物封入パウチの製造が完了する。
【先行技術文献】
【特許文献】
【０００４】
【特許文献１】特開２００８−１２０４１３号公報
【発明の概要】
【発明が解決しようとする課題】
【０００５】
上記製造方法においては、包装体の内部空間に食材を充填するとき、食材がジッパー部材に付着するおそれがある。なお、ここでは特許文献１のパウチを例として取りあげているが、袋およびファスナーを有するパウチであれば、上記と同様の問題が生じるおそれがある。
【０００６】
本発明は、以上の背景をもとに創作されたものであり、内容物がファスナーに付着することを抑制できるパウチ、内容物封入パウチ、および、その製造方法を提供することを目的とする。
【課題を解決するための手段】
【０００７】
〔１〕本発明に従うパウチの一形態は、内容物を収容する内部空間、および第１開口部を有する袋と、前記第１開口部を開封および密封するファスナーとを有するパウチであって、前記袋は、前記内部空間を形成する袋本体部と、前記内部空間に内容物を入れるための開放された第２開口部と、前記第１開口部の縁に形成されて前記ファスナーを密封する開口シール部と、前記開口シール部を前記第１開口部から分離するための開口ガイド線と、前記内部空間から蒸気を抜くための通蒸部と、前記通蒸部を密封する通蒸シール部と、前記通蒸シール部を前記通蒸部から分離するための通蒸ガイド線と、前記ファスナーを切断する切断部とを有し、前記第１開口部は、前記通蒸部と連続して形成され、前記開口シール部は、前記通蒸シール部と連続して形成され、前記ファスナーは、前記第１開口部上に位置する開口ファスナー部と、前記通蒸シール部上に位置する通蒸ファスナー部とを有し、前記第１開口部および前記通蒸シール部にまたがり形成され、前記切断部は、前記通蒸ガイド線の端部と対応する位置に形成され、前記第２開口部が前記袋本体部の側方部に形成され、前記側方部から前記袋の外方に向けて突出している。
【０００８】
上記袋は、第２開口部を有するため、内容物封入パウチの製造過程において、第２開口部から袋の内部空間に内容物を入れることができる。このため、内容物封入パウチの製造過程においてファスナーに内容物が付着するおそれが低減される。
【００１０】
また、上記袋は、袋本体部から突出した形状の第２開口部を有する。このため、内容物封入パウチの製造過程において第２開口部をシールするとき、袋をチャッキングするチャックがシール装置の移動軌跡上に位置しない状態を形成することが可能となる。このため、第２開口部のシール加工が容易になる。
また、上記パウチの切断部は、通蒸ガイド線の端部に対応している。このため、通蒸ガイド線により通蒸シール部を通蒸部から分離することにより、通蒸ファスナー部が開口ファスナー部から分離される。このため、通蒸シール部を通蒸部から分離する作業、および通蒸ファスナー部を開口ファスナー部から分離する作業が連続した１つの作業となる。
【００１１】
〔２〕上記パウチの一例によれば、前記パウチは、スタンディングパウチとしての形態を有し、底ガゼットを有し、前記底ガゼットは、前記袋本体部を支持している。
【００１２】
〔３〕上記パウチの一例によれば、前記袋本体部は、前記側方部である第１側方部と、前記第１側方部とは反対側の側方部である第２側方部とを有し、前記第２側方部は、前記第２開口部に対応する凹形状を有する。
【００１３】
パウチの袋の設計手法としては、１枚のシート上に複数の袋の型を配置するものがある。上記袋の第２側方部は、第２開口部に対応する凹形状を有するため、隣り合う２つの袋の型において、一方の型の第２側方部に他方の型の第２開口部を配置することが可能になる。このため、歩留まりが向上する。
【００１８】
〔４〕上記パウチの一例によれば、前記袋は、前記ファスナーに対して前記内部空間側に位置する袋所定部分を有し、前記切断部は、前記ファスナーを切断する中間切断部と、前記中間切断部に連続して前記袋所定部分を切断する第１所定切断部と、前記第１所定切断部における前記内部空間側の端部に位置する第２所定切断部と、前記第１所定切断部と前記第２所定切断部とを分断する中断部分とを有する。
【００１９】
上記袋の切断部は、第１所定切断部および第２所定切断部を有するため、第１所定切断部および第２所定切断部を有していない構成と比較して、袋所定部分を容易に分離することができる。一方、第１所定切断部および第２所定切断部を有することにともない、袋における中間切断部の延長線上の部分を分離する力が袋に作用するとき、袋所定部分において第２所定切断部の端部よりも内部空間側の部分が第２所定切断部から順に切断する可能性がある。そして、第２所定切断部から順に生じる切断が内部空間に到達した場合には、内部空間が密閉されなくなる。上記パウチは、このような予測を踏まえて、第１所定切断部と第２所定切断部との間に中断部分を形成している。このため、袋における中間切断部の延長線上の部分を分離する上記力が袋に作用するとき、この力が中断部分を切断するための力として作用する。このため、袋所定部分において第２所定切断部の端部よりも内部空間側の部分が第２所定切断部から順に切断される可能性が低減される。
【００２０】
〔５〕上記パウチの一例によれば、前記袋は、前記切断部の延長線上において切断抑制構造を有し、前記切断抑制構造は、前記切断部の延長線上に沿う前記袋のシール部の切断が前記内部空間に到達することを妨げる構造を有する。
【００２１】
上記袋は、切断抑制構造を有するため、袋における中間切断部の延長線上の部分を分離する力が袋に作用するとき、袋のシール部がこの力により内部空間まで切断されることが抑制される。
【００２２】
〔６〕上記パウチの一例によれば、前記袋は、易開封シール部を有し、前記易開封シール部は、前記第１開口部を密封し、前記ファスナーよりも前記内部空間側に形成されている。
【００２３】
上記袋は、易開封シール部を有する。易開封シール部は、第１開口部を密封している。易開封シール部は、ファスナーに対して内部空間側に形成されている。このため、第２開口部から袋の内部空間に内容物をいれるときに、内容物がファスナーに付着するおそれがより低減される。
【００２４】
〔７〕本発明に従う内容物封入パウチの一形態は、前記第２開口部にシール加工が施された上記〔１〕〜〔６〕のいずれか１つに記載のパウチと、前記パウチに収容された内容物とを有する。
〔８〕本発明に従う内容物封入パウチの製造方法の一形態は、上記〔１〕〜〔６〕のいずれか１つに記載のパウチと、前記内部空間に収容された内容物とを含む内容物封入パウチを製造するための製造方法であって、前記ファスナーにより前記第１開口部が閉鎖された前記パウチを製造する工程と、前記第２開口部が形成された前記パウチのうちの前記第２開口部の両隣をチャックし、前記第２開口部から前記内部空間に内容物を充填する工程と、前記内容物が充填された後に前記第２開口部をシールする工程とを備える。
【発明の効果】
【００２５】
本パウチ、内容物封入パウチ、および、その製造方法は、内容物がファスナーに付着することを抑制することができる。
【図面の簡単な説明】
【００２６】
【図１】第１実施形態のパウチの正面図。
【図２】第１実施形態のパウチにおける図１のＸ部分の拡大図。
【図３】第１実施形態の内容物封入パウチ。
【図４】第１実施形態の内容物封入パウチの製造工程に関する図であり、（ａ）は第２開口部が開封された状態の袋の正面図、（ｂ）は第２開口部に充填機のノズルが挿入された状態の袋の正面図、（ｃ）は内部空間に内容物が収容された状態の袋の正面図。
【図５】第１実施形態の内容物封入パウチの製造工程に関する図であり、（ａ）は第２開口部にシール加工が施される前の袋の正面図、（ｂ）は第２開口部にシール加工が施されている最中の袋の正面図、（ｃ）は第２開口部にシール加工が施された後の袋の正面図。
【図６】第１実施形態のパウチに関する図であり、第２袋部分が第１袋部分から切り離された状態のパウチの正面図。
【図７】第２実施形態のパウチの正面図。
【図８】第３実施形態のパウチの正面図。
【図９】第３実施形態のパウチに関する図であり、パウチを形成するためのシートの平面図。
【図１０】第４実施形態のパウチの正面図。
【図１１】図１０のＤ１１−Ｄ１１線において破断されたパウチの断面図。
【図１２】第４実施形態の内容物封入パウチの製造工程に関する図であり、（ａ）は第２開口部が開封された状態のパウチの正面図、（ｂ）は第２開口部に充填機のノズルが挿入された状態のパウチの正面図、（ｃ）は内部空間に内容物が収容された状態のパウチの正面図。
【図１３】第４実施形態の内容物封入パウチの製造工程に関する図であり、（ａ）は第２開口部にシール加工が施される前のパウチの正面図、（ｂ）は第２開口部にシール加工が施されている最中のパウチの正面図、（ｃ）は第２開口部にシール加工が施された後のパウチの正面図。
【図１４】第５実施形態のパウチの正面図。
【図１５】第５実施形態のパウチに関する図であり、通蒸部の拡大図。
【発明を実施するための形態】
【００２７】
（第１実施形態）
図１を参照して、パウチ１００の構成について説明する。なお、図１〜図６に示されるドットは、パウチ１００のシール部１２０を示している。また、以下の説明におけるパウチ１００の幅方向は、パウチ１００の正面視においてパウチ１００の高さ方向に直交する方向を示している。
【００２８】
パウチ１００は、スタンディングパウチとしての形態を有する。パウチ１００は、袋１１０およびファスナー１７０を有する。パウチ１００は、第２開口部１３６が形成された部分を除く縁の全部がシールされている。
【００２９】
袋１１０は、第１袋部分１３０、第２袋部分１５０、シール部１２０、およびガイド線１６０を有する。袋１１０は、積層シートにより形成されている。積層シートは、最外層、中間層、および最内層を有する。最外層は、ポリエチレンテレフタレート層により構成される。最内層は、無延伸ポリプロピレン層により構成される。中間層は、印刷層、第１接着層、延伸ナイロン層、および第２接着層により構成される。印刷層は、最外層の内側に形成されている。第１接着層は、印刷層の内側に形成されている。延伸ナイロン層は、第１接着層の内側に形成されている。第２接着層は、延伸ナイロン層の内側に形成されている。最内層は、第２接着層の内側に形成されている。印刷層は、外面に絵柄および商品の説明等を有する。
【００３０】
袋１１０は、第１角部１１１、第２角部１１２、第３角部１１３、第４角部１１４、第１側方縁１１５、第２側方縁１１６、上縁１１７、下縁１１８、および内部空間１１９を有する。
【００３１】
第１側方縁１１５は、袋１１０における第１角部１１１から第３角部１１３までの縁を形成している。第２側方縁１１６は、袋１１０における第２角部１１２から第４角部１１４までの縁を形成している。上縁１１７は、袋１１０において第１角部１１１から第２角部１１２までの縁を形成している。下縁１１８は、袋１１０において第３角部１１３から第４角部１１４までの縁を形成している。
【００３２】
第１側方縁１１５および上縁１１７は、第１角部１１１において互いに連続している。第１側方縁１１５および下縁１１８は、第３角部１１３において互いに連続している。第２側方縁１１６および上縁１１７は、第２角部１１２において互いに連続している。第２側方縁１１６および下縁１１８は、第４角部１１４において互いに連続している。
【００３３】
第１袋部分１３０は、袋本体部１３１、底ガゼット１３２、第１突出部分１３３、および第２突出部分１３４を有する。
袋本体部１３１は、第１側方部１３１Ａ、第２側方部１３１Ｂ、第１開口部１３５、第２開口部１３６、袋所定部分１３７、および切断抑制部分１３８を有する。
【００３４】
第１側方部１３１Ａは、袋本体部１３１において、図中の二点鎖線ＸＡ１よりも内部空間１１９側の部分を示している。
第２側方部１３１Ｂは、袋本体部１３１において、図中の二点鎖線ＸＡ２よりも内部空間１１９側の部分を示している。
【００３５】
第１開口部１３５は、ファスナー１７０を含む第１袋部分１３０の上縁に位置している。
第１開口部１３５は、袋１１０が第１袋部分１３０と第２袋部分１５０とに分離している状態において、内容物を内部空間１１９に収容する機能を有している。第１開口部１３５は、通蒸部１４０と連続して形成されている。
【００３６】
第２開口部１３６は、第１側方部１３１Ａから幅方向の外方に突出する形状を有する。第２開口部１３６は、内容物を内部空間１１９に収容する機能を有する。
底ガゼット１３２は、袋本体部１３１を支持している。図中の一点鎖線は、底ガゼット１３２と袋本体部１３１との境界を示している。
【００３７】
第１突出部分１３３は、第１側方部１３１Ａから幅方向の外方に突出する形状を有する。第１突出部分１３３は第２開口部１３６を含んで形成されている。
第２突出部分１３４は、第２側方部１３１Ｂから幅方向の外方に突出する形状を有する。第２突出部分１３４は、通蒸部１４０を含んで形成されている。
【００３８】
通蒸部１４０は、内部空間１１９と外部とを互いに連通する部分として形成されている。通蒸部１４０は、第２突出部分１３４の一部分において未シールの部分が形成された構成を有する。通蒸部１４０は、通蒸路１４１および通路シール部１４２を有する。通蒸部１４０は、通蒸路１４１および内部空間１１９に相当する部分を除いて第２突出部分１３４をシールすることにより形成されている。
【００３９】
袋所定部分１３７は、通蒸部１４０の近傍において、ファスナー１７０に対して内部空間１１９側に位置している。
切断抑制部分１３８は、袋所定部分１３７の切断が、内部空間１１９に到達することを妨げる構造を有する。切断抑制部分１３８は、第２側方部１３１Ｂ側の通路シール部１４２に形成されている。
【００４０】
第２袋部分１５０は、開口シール部１５１および通蒸シール部１５２を有する。
開口シール部１５１は、上縁１１７に形成されている。開口シール部１５１は、ファスナー１７０を密封している。開口シール部１５１は、通蒸シール部１５２と連続して形成されている。通蒸シール部１５２は、通蒸部１４０を密封している。通蒸シール部１５２は、第２突出部分１３４の一部として形成されている。
【００４１】
シール部１２０は、熱溶着により形成されている。シール部１２０は、第１側方シール部１２１、第２側方シール部１２２、上方シール部１２３、および下方シール部１２４を有する。
【００４２】
第１側方シール部１２１は、袋１１０において第１側方縁１１５を含む所定範囲の部分をシールしている。第１側方シール部１２１は、側方シール上部分１２１Ａおよび側方シール下部分１２１Ｂを有する。側方シール上部分１２１Ａおよび側方シール下部分１２１Ｂは、第２開口部１３６により互いに分断されている。
【００４３】
側方シール上部分１２１Ａは、袋１１０において第１角部１１１から第２開口部１３６までの範囲をシールしている。
側方シール下部分１２１Ｂは、第２開口部１３６において、袋本体部１３１と底ガゼット１３２との境界部分をシールしている。
【００４４】
第２側方シール部１２２は、袋１１０において第２側方縁１１６を含む所定範囲の部分をシールしている。上方シール部１２３は、上縁１１７を含む所定範囲の部分をシールしている。上方シール部１２３は、開口シール部１５１を含んで形成されている。下方シール部１２４は、下縁１１８を含む所定範囲の部分をシールしている。
【００４５】
ガイド線１６０は、袋１１０において第１袋部分１３０および第２袋部分１５０を互いに分離するための部分として形成されている。
ファスナー１７０は、第１開口部１３５を開封および密封することが可能な構造を有する。ファスナー１７０は、開口ファスナー部１７１および通蒸ファスナー部１７２を有する。開口ファスナー部１７１は、第１開口部１３５および通蒸シール部１５２にまたがり形成されている。通蒸ファスナー部１７２は、通蒸シール部１５２上に形成されている。
【００４６】
図２を参照して、ガイド線１６０の詳細な構造について説明する。
ガイド線１６０は、開口ガイド線１６１、通蒸ガイド線１６２、切断部１６３、およびノッチ１６８を有する。
【００４７】
開口ガイド線１６１は、開口シール部１５１を第１開口部１３５から分離する。開口ガイド線１６１は、袋１１０を構成するフィルムに対してレーザーによるハーフカット加工が施されることにより形成されている。
【００４８】
通蒸ガイド線１６２は、通蒸シール部１５２を通蒸部１４０から分離する。通蒸ガイド線１６２は、袋１１０を構成するフィルムに対してレーザーによるハーフカット加工が施されることにより形成されている。
【００４９】
切断部１６３は、中間切断部１６４、第１所定切断部１６５、第２所定切断部１６６、および中断部分１６７を有する。切断部１６３は、通蒸ガイド線１６２の端部１６２Ａと対応する位置に形成されている。切断部１６３は、開口ガイド線１６１および通蒸ガイド線１６２と連続して形成されている。
【００５０】
中間切断部１６４は、ファスナー１７０を切断する。第１所定切断部１６５は、中間切断部１６４と連続している。第１所定切断部１６５は、袋所定部分１３７を切断する。第２所定切断部１６６は、第１所定切断部１６５における内部空間１１９側の端部に位置している。第２所定切断部１６６の内部空間１１９側の端部に切断抑制部分１３８が形成されている。切断抑制部分１３８は、第２所定切断部１６６が内部空間１１９と反対の方向に湾曲する構造を有する。なお、切断抑制部分１３８は、「切断抑制構造」に相当する。
【００５１】
中断部分１６７は、第１所定切断部１６５と第２所定切断部１６６とを分断している。
ノッチ１６８は、通蒸ガイド線１６２と第２側方縁１１６との接点に位置する。ノッチ１６８は、通蒸ガイド線１６２に沿って通蒸シール部１５２を通蒸部１４０から分離するときの始点として機能する。
【００５２】
図３を参照して、内容物封入パウチ１の構造について説明する。
内容物封入パウチ１は、内容物１０およびパウチ１００を有する。内容物封入パウチ１のパウチ１００は、内部空間１１９に内容物１０が収容された状態で第２開口部１３６がシールされている。内容物１０は、液体調味料である。
【００５３】
図４および図５を参照して、内容物封入パウチ１の製造工程について説明する。
内容物封入パウチ１の製造工程は、第１工程、第２工程（図４（ａ））、第３工程（図４（ｂ））、第４工程（図４（ｃ））、第５工程（図５（ａ））、第６工程（図５（ｂ））、および第７工程（図５（ｃ））を含む。
【００５４】
第１工程においては、パウチ１００が製造される。
第２工程においては、パウチ１００の第１角部１１１の周辺および第３角部１１３の周辺がそれぞれ充填機４００のチャック４１０によりチャッキングされる。
【００５５】
パウチ１００は、図４（ａ）に示される状態で、充填ラインに搬送される。所定の充填ライン位置において、第２開口部１３６は吸盤（図示略）により開封される。
第３工程においては、図４（ｂ）に示されるように、第２開口部１３６にノズル４２０が挿入される。ノズル４２０は、内部空間１１９に内容物１０を充填する。
【００５６】
第４工程においては、図４（ｃ）に示されるように、内部空間１１９に所定量の内容物１０が充填されることにより充填が終了する。内部空間１１９への内容物１０の充填が終了した後、ノズル４２０は第２開口部１３６から抜かれる。
【００５７】
第５工程においては、図５（ａ）に示されるように、パウチ１００の第１角部１１１の周辺および第３角部１１３の周辺がそれぞれ充填機４００のチャック４１０によりチャッキングされたままパウチ１００がシール加工ラインに搬送される。
【００５８】
第６工程においては、図５（ｂ）に示されるように、所定のシール加工ライン位置において、シール装置５００は、第２開口部１３６を挟む。これにより、第２開口部１３６にシール加工が施される。
【００５９】
第７工程においては、シール加工の終了後、図５（ｃ）に示されるように、シール装置５００は、第２開口部１３６の挟み込み状態を解除する。
図６を参照して、内容物封入パウチ１の使用方法について説明する。
【００６０】
袋１１０は、ノッチ１６８を始点として、通蒸ガイド線１６２、切断部１６３、開口ガイド線１６１の順に切り取られることにより、第１袋部分１３０と第２袋部分１５０とに分離した状態（以下、「分離状態」）となる。これにより、通蒸路１４１を介して内部空間１１９と外部とが連通された状態となる。
【００６１】
分離状態において、第１開口部１３５は、開口ファスナー部１７１によって開封および密封することが可能となる。第１開口部１３５が開封されることにより、使用者は、内部空間１１９に肉や野菜等の具材を追加することができる。内部空間１１９に所望の具材を収容した後、使用者は、開口ファスナー部１７１によって第１開口部１３５を密封する。その後、第１袋部分１３０を電子レンジで加熱することにより、内容物１０および追加した具材が調理される。
【００６２】
本実施形態のパウチ１００は、以下の効果を奏する。
（１）袋１１０は、第２開口部１３６を有する。この構成によれば、内容物封入パウチ１の製造過程において、第２開口部１３６から袋１１０の内部空間１１９に内容物１０を入れることができる。このため、内容物封入パウチ１の製造過程においてファスナー１７０に内容物１０が付着するおそれが低減される。
【００６３】
（２）袋１１０は、開口シール部１５１を有する。この構成によれば、内容物封入パウチ１の製造過程において、ファスナー１７０が開封されるおそれが低減される。このため、ファスナー１７０に内容物１０が付着するおそれを低減する効果が一層高くなる。
【００６４】
（３）袋１１０は、袋本体部１３１の第１側方部１３１Ａから突出した形状の第２開口部１３６を有する。この構成によれば、内容物封入パウチ１の製造過程において第２開口部１３６をシールするとき、充填機４００のチャック４１０がシール装置５００の移動軌跡上に位置しない状態を形成することが可能となる。このため、第２開口部１３６のシール加工が容易になる。
【００６５】
（４）袋１１０は、内部空間１１９から蒸気を抜くための通蒸部１４０を有する。この構成によれば、通蒸シール部１５２が通蒸部１４０から分離された状態において、内容物１０の加熱にともなう蒸気の発生により内圧が上昇したとき、内部空間１１９の蒸気が通蒸部１４０の通蒸路１４１を介して外部に放出される。このため、袋１１０が過度に膨張することが抑制される。
【００６６】
（５）パウチ１００の切断部１６３は、通蒸ガイド線１６２の端部１６２Ａに対応している。この構成によれば、通蒸ガイド線１６２により通蒸シール部１５２を通蒸部１４０から分離することにより、通蒸ファスナー部１７２が開口ファスナー部１７１から分離される。このため、通蒸シール部１５２を通蒸部１４０から分離する作業、および通蒸ファスナー部１７２を開口ファスナー部１７１から分離する作業が連続した１つの作業となる。
【００６７】
（６）袋１１０の切断部１６３は、第１所定切断部１６５および第２所定切断部１６６を有する。この構成によれば、第１所定切断部１６５および第２所定切断部１６６を有していない構成と比較して、袋所定部分１３７を容易に分離することができる。
【００６８】
一方、第１所定切断部１６５および第２所定切断部１６６を有することにともない、袋１１０における中間切断部１６４の延長線上の部分を分離する力が袋１１０に作用するとき、袋所定部分１３７において第２所定切断部１６６の端部よりも内部空間１１９側の部分が第２所定切断部１６６から順に切断する可能性がある。そして、第２所定切断部１６６から順に生じる切断が内部空間１１９に到達した場合には、内部空間１１９が密閉されなくなる。
【００６９】
袋１１０は、このような予測を踏まえて、第１所定切断部１６５と第２所定切断部１６６との間に中断部分１６７を形成している。この構成によれば、袋１１０における中間切断部１６４の延長線上の部分を分離する上記力が袋１１０に作用するとき、この力が中断部分１６７を切断するための力として作用する。このため、袋所定部分１３７において第２所定切断部１６６の端部よりも内部空間１１９側の部分が第２所定切断部１６６から順に切断される可能性が低減される。
【００７０】
（７）袋１１０は、切断抑制部分１３８を有する。この構成によれば、袋１１０における中間切断部１６４の延長線上の部分を分離する力が袋１１０に作用するとき、袋所定部分１３７がこの力により内部空間１１９まで切断されることが抑制される。
【００７１】
（第２実施形態）
図７を参照して、パウチ２００の構成について説明する。なお、図７に示されるドットは、パウチ２００のシール部２２０を示している。また、以下の説明におけるパウチ２００の幅方向は、パウチ２００の正面視においてパウチ２００の高さ方向に直交する方向を示している。
【００７２】
パウチ２００は、スタンディングパウチとしての形態を有する。パウチ２００は、袋２１０およびファスナー２７０を有する。パウチ２００は、第２開口部２３６が形成された部分を除く縁の全部がシールされている。
【００７３】
袋２１０は、第１袋部分２３０、第２袋部分２５０、シール部２２０、およびガイド線２６０を有する。袋２１０は、積層シートにより形成されている。積層シートは、最外層、中間層、および最内層を有する。最外層は、ポリエチレンテレフタレート層により構成される。最内層は、無延伸ポリプロピレン層により構成される。中間層は、印刷層、第１接着層、延伸ナイロン層、および第２接着層により構成される。印刷層は、最外層の内側に形成されている。第１接着層は、印刷層の内側に形成されている。延伸ナイロン層は、第１接着層の内側に形成されている。第２接着層は、延伸ナイロン層の内側に形成されている。最内層は、第２接着層の内側に形成されている。印刷層は、外面に絵柄および商品の説明等を有する。
【００７４】
袋２１０は、第１角部２１１、第２角部２１２、第３角部２１３、第４角部２１４、第１側方縁２１５、第２側方縁２１６、上縁２１７、下縁２１８、および内部空間２１９を有する。
【００７５】
第１側方縁２１５は、袋２１０における第１角部２１１から第３角部２１３までの縁を形成している。第２側方縁２１６は、袋２１０における第２角部２１２から第４角部１１４までの縁を形成している。上縁２１７は、袋２１０において第１角部２１１から第２角部２１２までの縁を形成している。下縁２１８は、袋２１０において第３角部２１３から第４角部２１４までの縁を形成している。
【００７６】
第１側方縁２１５および上縁２１７は、第１角部２１１において互いに連続している。第１側方縁２１５および下縁２１８は、第３角部２１３において互いに連続している。第２側方縁２１６および上縁２１７は、第２角部２１２において互いに連続している。第２側方縁２１６および下縁２１８は、第４角部２１４において互いに連続している。
【００７７】
第１袋部分２３０は、袋本体部２３１、底ガゼット２３２および突出部分２３３を有する。
袋本体部２３１は、第１側方部２３１Ａ、第２側方部２３１Ｂ、第１開口部２３５および第２開口部２３６を有する。
【００７８】
第１側方部２３１Ａは、図中の二点鎖線よりも内部空間２１９側の部分を示している。
第２側方部２３１Ｂは、第２側方縁２１６を含む部分を示している。
第１開口部２３５は、ファスナー２７０を含む第１袋部分２３０の上縁に位置している。
【００７９】
第１開口部２３５は、袋２１０が第１袋部分２３０と第２袋部分２５０とに分離している状態において、内容物を内部空間２１９に収容する機能を有する。
第２開口部２３６は、第１側方部２３１Ａから幅方向の外方に突出する形状を有する。第２開口部２３６は、内容物を内部空間２１９に収容する機能を有する。
【００８０】
底ガゼット２３２は、袋本体部２３１を支持している。図中の一点鎖線は、底ガゼット２３２と袋本体部２３１との境界を示している。
突出部分２３３は、第１側方部２３１Ａから幅方向の外方に突出する形状を有する。突出部分２３３は第２開口部２３６を含んで形成されている。
【００８１】
第２袋部分２５０は、開口シール部２５１を有する。
開口シール部２５１は、上縁２１７に形成されている。開口シール部２５１は、ファスナー２７０を密封している。
【００８２】
シール部２２０は、熱溶着により形成されている。シール部２２０は、第１側方シール部２２１、第２側方シール部２２２、上方シール部２２３、および下方シール部２２４を有する。
【００８３】
第１側方シール部２２１は、袋２１０において第１側方縁２１５を含む所定範囲の部分をシールしている。第１側方シール部２２１は、側方シール上部分２２１Ａおよび側方シール下部分２２１Ｂを有する。側方シール上部分２２１Ａおよび側方シール下部分２２１Ｂは、第２開口部２３６により互いに分断されている。
【００８４】
側方シール上部分２２１Ａは、袋２１０において第１角部２１１から第２開口部２３６までの範囲をシールしている。
側方シール下部分２２１Ｂは、第２開口部２３６において、袋本体部２３１と底ガゼット２３２との境界部分をシールしている。
【００８５】
第２側方シール部２２２は、袋２１０において第２側方縁２１６を含む所定範囲の部分をシールしている。上方シール部２２３は、上縁２１７を含む所定範囲の部分をシールしている。上方シール部２２３は、開口シール部２５１を含んで形成されている。下方シール部２２４は、下縁２１８を含む所定範囲の部分をシールしている。
【００８６】
ガイド線２６０は、開口ガイド線２６１とノッチ２６２とを有する。開口ガイド線２６１は、袋２１０において第１袋部分２３０および第２袋部分２５０を互いに分離するための部分として形成されている。ノッチ２６２は、開口ガイド線２６１と第２側方縁２１６との接点に位置している。ノッチ２６２は、開口ガイド線２６１に沿って袋２１０を切り取るときの始点として機能する。
【００８７】
ファスナー２７０は、第１開口部２３５を開封および密封することが可能な構造を有する。
パウチ２００の使用方法について説明する。
【００８８】
パウチ２００は、第２開口部２３６を介して内部空間２１９に内容物が充填される。パウチ２００は、第１実施形態のパウチ１００と同様の手順により内部空間２１９に内容物が充填される。
【００８９】
パウチ２００は、使用者により第２袋部分２５０が第１袋部分２３０から分離される。
使用者は、ファスナー２７０を開封して、内部空間２１９に肉や野菜等の具材を追加する。使用者は、内部空間２１９に具材を収容した後、ファスナー２７０により第１開口部２３５を密封する。その後、使用者は、第１袋部分２３０を電子レンジで加熱する。これにより、内容物および追加した具材が調理される。
【００９０】
なお、第１袋部分２３０を電子レンジで加熱することにともない、内容物から蒸気が発生する。このため、内部空間２１９の内圧が上昇する。内部空間２１９の内圧が所定の圧力まで上昇することにともない、ファスナー２７０が開封する。このため、ファスナー２７０を介して内部空間２１９で発生した蒸気が外部の空間へと排出される。このため、内部空間２１９の内圧が過度に上昇することが抑制される。
【００９１】
本実施形態のパウチ２００は、上記（１）〜（３）の効果を奏する。
（第３実施形態）
図８および図９に示される第３実施形態のパウチ３００は、図７に示される第２実施形態のパウチ２００との主要な相違点として、次の相違点を有する。すなわち、第２実施形態のパウチ２００は、第２側方部２３１Ｂに凹形状を有さない。一方、本実施形態のパウチ３００は、第２側方部２３１Ｂに凹形状を有する。以下では、第２実施形態のパウチ２００と異なる点の詳細を説明する。
【００９２】
第１袋部分２３０の第２側方部２３１Ｂは、第２側方縁２１６を含む部分を示している。第２側方部２３１Ｂは、第１側方部２３１Ａと反対側の側方部である。第２側方部２３１Ｂは、第２開口部２３６に対応する凹形状２３７を有する。
【００９３】
図９を参照して、パウチ３００が製造される工程について説明する。
パウチ３００は、１枚のシート上に複数のパウチ３００の型が配置された型パウチ６００を切断することにより製造される。パウチ３００の型は、隣り合う２つのパウチの型において、一方の型の第２側方部２３１Ｂに他方の型の第２開口部２３６が配置される。隣り合うパウチ３００の型の間の廃棄部分３１０は、カッターにより切り取られる。
【００９４】
本実施形態のパウチ３００は、上記（１）〜（３）の効果に加えて、以下の効果を奏する。
（８）袋２１０の第２側方部２３１Ｂは、第２開口部２３６に対応する凹形状２３７を有する。この構成によれば、隣り合う２つのパウチ３００の型において、一方の型の第２側方部２３１Ｂに他方の型の第２開口部２３６を配置することが可能になる。このため、歩留まりが向上する。
【００９５】
（第４実施形態）
図１０等に示される第４実施形態のパウチ７００は、図７に示される第２実施形態のパウチ２００との主要な相違点として、次の相違点を有する。すなわち、第２実施形態のパウチ２００は、ファスナー２７０を有する。一方、本実施形態のパウチ７００は、ファスナー８００および易開封シール部９００を有する。以下では、第２実施形態のパウチ２００と異なる点の詳細を説明する。
【００９６】
ファスナー８００および易開封シール部９００の構成について説明する。
図１１に示されるように、ファスナー８００は、雌型８１０および雄型８２０を有する。雌型８１０は、雌型基材８１１および雌型主要部８１２を有する。
【００９７】
雌型基材８１１は、袋２１０を形成するシートに熱溶着されている。雌型基材８１１は、雌型主要部８１２を支持する機能を有する。
雌型主要部８１２は、椀型形状を有する。雌型主要部８１２は、雌型基材８１１と一体的に形成されている。雌型主要部８１２は、開封側爪８１３および内容物側爪８１４を有する。
【００９８】
開封側爪８１３は、雌型基材８１１側に屈曲する形状を有する。開封側爪８１３は、内容物側爪８１４よりも袋２１０の開封側に位置している。
内容物側爪８１４は、雌型基材８１１側に屈曲する形状を有する。内容物側爪８１４は、開封側爪８１３よりも袋２１０の内部空間１１９側に位置している。
【００９９】
雄型８２０は、雄型基材８２１および雄型主要部８２２を有する。
雄型基材８２１は、袋２１０を形成するシートに熱溶着されている。雄型基材８２１は、雄型主要部８２２を支持する機能を有する。
【０１００】
雄型主要部８２２は、矢尻型形状を有する。雄型主要部８２２は、雄型基材８２１と一体的に形成されている。雄型主要部８２２は、支持部８２３および先端部８２４を有する。支持部８２３は、雄型基材８２１と連続して形成されている。支持部８２３は、雄型基材８２１から雌型基材８１１に突出する形状を有する。
【０１０１】
先端部８２４は、支持部８２３と連続して形成されている。先端部８２４は、開封側爪８２４Ａおよび内容物側爪８２４Ｂを有する。開封側爪８２４Ａは、雌型主要部８１２の開封側爪８１３と嵌合する形状を有する。内容物側爪８２４Ｂは、雌型主要部８１２の内容物側爪８１４と嵌合する形状を有する。内容物側爪８２４Ｂと内容物側爪８１４との嵌合強度は、開封側爪８２４Ａと開封側爪８１３との嵌合強度よりも大きい。このため、ファスナー８００は、内部空間側よりも開封側のほうから開封しやすい構造を有する。
【０１０２】
易開封シール部９００は、内部空間２１９の内容物がファスナー８００に付着することを抑制する機能を有する。易開封シール部９００は、第１開口部２３５を密封している。易開封シール部９００は、ファスナー８００に対して内部空間２１９側に位置している。易開封シール部９００は、主要部９１０および袋シール部９２０を有する。
【０１０３】
主要部９１０は、ファスナー８００の雌型基材８１１と同一の材料により一体的に形成されている。主要部９１０は、袋シール部９２０と同一の材料により一体的に形成されている。
【０１０４】
袋シール部９２０は、袋２１０の内周面とシールされている。袋シール部９２０は、シール部２２０よりも低いシール強度を有する。
図１２および図１３を参照して、パウチ７００を用いた内容物封入パウチ７１０の製造工程について説明する。
【０１０５】
内容物封入パウチ７１０の製造工程は、第１工程、第２工程（図１２（ａ））、第３工程（図１２（ｂ））、第４工程（図１２（ｃ））、第５工程（図１３（ａ））、第６工程（図１３（ｂ））、および第７工程（図１３（ｃ））を含む。
【０１０６】
第１工程においては、パウチ７００が製造される。
第２工程においては、パウチ７００の第１角部２１１の周辺および第３角部２１３の周辺がそれぞれ充填機４００のチャック４１０によりチャッキングされる。
【０１０７】
パウチ７００は、図１２（ａ）に示される状態で、充填ラインに搬送される。所定の充填ライン位置において、第２開口部２３６は吸盤（図示略）により開封される。
第３工程においては、図１２（ｂ）に示されるように、第２開口部２３６にノズル４２０が挿入される。ノズル４２０は、内部空間２１９に内容物１０を充填する。
【０１０８】
第４工程においては、図１２（ｃ）に示されるように、内部空間２１９に所定量の内容物１０が充填されることにより充填が終了する。内部空間２１９への内容物１０の充填が終了した後、ノズル４２０は第２開口部２３６から抜かれる。
【０１０９】
第５工程においては、図１３（ａ）に示されるように、パウチ７００の第１角部２１１の周辺および第３角部２１３の周辺がそれぞれ充填機４００のチャック４１０によりチャッキングされたままパウチ７００がシール加工ラインに搬送される。
【０１１０】
第６工程においては、図１３（ｂ）に示されるように、所定のシール加工ライン位置において、シール装置５００は、第２開口部２３６を挟む。これにより、第２開口部２３６にシール加工が施される。
【０１１１】
第７工程においては、シール加工の終了後、図１３（ｃ）に示されるように、シール装置５００は、第２開口部２３６の挟み込み状態を解除する。
本実施形態のパウチ７００は、上記（１）〜（３）の効果に加えて、以下の効果を奏する。
【０１１２】
（９）袋２１０は、易開封シール部９００を有する。易開封シール部９００は、第１開口部２３５を密封している。易開封シール部９００は、ファスナー８００に対して内部空間２１９側に形成されている。このため、第２開口部２３６から袋２１０の内部空間２１９に内容物１０をいれるときに、内容物１０がファスナー８００に付着するおそれがより低減される。
【０１１３】
（第５実施形態）
図１４等に示される第５実施形態のパウチ９５０は、図７に示される第２実施形態のパウチ２００との主要な相違点として、次の相違点を有する。すなわち、第２実施形態のパウチ２００は、シール部２２０に通蒸部を有さない。一方、本実施形態のパウチ９５０は、シール部２２０に通蒸部９５１を有する。以下では、第２実施形態のパウチ２００と異なる点の詳細を説明する。
【０１１４】
図１４を参照して、通蒸部９５１の構成について説明する。
通蒸部９５１は、内部空間２１９で発生した蒸気を内部空間２１９から外部の空間へ排出する機能を有する。通蒸部９５１は、パウチ２００の幅方向の外側から内側に向けて窪む形状を有する。通蒸部９５１は、第２側方シール部２２２の一部が幅方向の外側から内側に向けて窪むことにより形成されている。
【０１１５】
パウチ９５０の使用方法について説明する。
パウチ９５０は、第２開口部２３６を介して内部空間２１９に内容物が充填される。パウチ９５０は、第１実施形態のパウチ１００と同様の手順により内部空間２１９に内容物が充填される。
【０１１６】
パウチ９５０は、使用者により第２袋部分２５０が第１袋部分２３０から分離される。
使用者は、ファスナー２７０を開封して、内部空間２１９に肉や野菜等の具材を追加する。使用者は、内部空間２１９に具材を収容した後、ファスナー２７０により第１開口部２３５を密封する。その後、使用者は、第１袋部分２３０を電子レンジで加熱する。これにより、内容物および追加した具材が調理される。
【０１１７】
なお、第１袋部分２３０を電子レンジで加熱することにともない、内容物から蒸気が発生する。このため、内部空間２１９の内圧が上昇する。図１５に示されるように、内部空間２１９の内圧が所定の圧力まで上昇することにともない、通蒸部９５１のシールが剥離する。このため、通蒸部９５１に開口９５１Ａが形成される。内部空間２１９で発生した蒸気は、開口９５１Ａを介して外部の空間へと排出される。このため、内部空間２１９の内圧が過度に上昇することが抑制される。
【０１１８】
（その他の実施形態）
本パウチおよび内容物封入パウチは、第１実施形態〜第５実施形態以外の実施形態を含む。以下、パウチおよび内容物封入パウチのその他の実施形態としての第１実施形態〜第５実施形態の変形例を示す。なお、以下の各変形例は、技術的に矛盾しない範囲において互いに組み合わせることもできる。
【０１１９】
・第１実施形態のパウチ１００は、第１側方部１３１Ａに第２開口部１３６を有する。一方、変形例のパウチは、第１側方部１３１Ａに代えて、底ガゼット１３２に第２開口部１３６を有する。要するに、第１実施形態における第２開口部１３６の形成位置は例示であり、第２開口部１３６の機能が保持される範囲において変更することができる。
【０１２０】
・第１実施形態のパウチ１００の第２開口部１３６は、袋本体部１３１の第１側方部１３１Ａから突出した形状を有する。一方、変形例のパウチは、第１側方部１３１Ａに第２開口部１３６が形成されている。すなわち、変形例のパウチの第２開口部１３６は、第１側方部１３１Ａから突出した形状を有さない。
【０１２１】
・第１実施形態の切断部１６３は、中間切断部１６４、第１所定切断部１６５、第２所定切断部１６６、および中断部分１６７を有する。一方、変形例の切断部１６３は、中間切断部１６４、第１所定切断部１６５、第２所定切断部１６６および中断部分１６７のうちの中間切断部１６４のみを有する。要するに、第１実施形態における切断部１６３の構成は例示であり、ファスナー１７０の切断を補助することが可能な範囲において変更することができる。
【０１２２】
・第１実施形態の切断抑制部分１３８は、第２所定切断部１６６の内部空間１１９側の端部が内部空間１１９と反対の方向に湾曲する構造を有する。一方、変形例の切断抑制部分１３８は、第２所定切断部１６６の内部空間１１９側の端部の周辺のシール強度が局所的に高められた強シール部を有する。
【０１２３】
・第１実施形態の通蒸部１４０は、シール加工が施されていない通蒸路１４１を有する。一方、変形例の通蒸部１４０は、弱シール加工が施された通蒸路１４１を有する。弱シール加工のシール強度は、シール部１２０のシール強度よりも低い。
【０１２４】
・第１実施形態のパウチ１００は、熱溶着によるシール加工が施されたシール部１２０を有する。一方、変形例のパウチ１００は、インパルスシール加工、高周波シール加工、および超音波シール加工の少なくとも１つによるシール加工が施されたシール部１２０を有する。
【０１２５】
・第１実施形態の内容物封入パウチ１は、内容物１０として液体調味料を内部空間１１９に収容する。一方、変形例の内容物封入パウチ１は、内容物１０として、医療用器具または哺乳瓶を収容する。
【０１２６】
・第４実施形態のパウチ７００は、易開封シール部９００を有する。易開封シール部９００は、袋シール部９２０を有する。袋シール部９２０は、袋２１０の内周面とシールされている。一方、変形例の易開封シール部は、袋２１０の対向する内周面が互いにシールされることによりイージーピール性を有する。
【０１２７】
（課題を解決するための手段に関する付記）
課題を解決するための手段は、下記の各付記手段のとおり記述することもできる。なお、各付記手段が有する事項は、各実施形態において開示された事項に対応している。
【０１２８】
（付記手段１）
内容物を収容する内部空間、および前記内部空間に内容物を入れるための開口部を有する袋と、前記開口部を開封および密封するファスナーとを有するパウチであって、前記袋は、前記開口部の縁に形成されて前記ファスナーを密封する開口シール部と、前記開口シール部を前記開口部から分離するための開口ガイド線と、前記内部空間から蒸気を抜くための通蒸部と、前記通蒸部を密封する通蒸シール部と、前記通蒸シール部を前記通蒸部から分離するための通蒸ガイド線と、前記ファスナーを切断する切断部とを有し、前記開口部は、前記通蒸部と連続して形成され、前記開口シール部は、前記通蒸シール部と連続して形成され、前記ファスナーは、前記開口部および前記通蒸シール部にまたがり形成されているものであり、前記開口部上に位置する開口ファスナー部と、前記通蒸シール部上に位置する通蒸ファスナー部とを有し、前記切断部は、前記通蒸ガイド線の端部と対応する位置に形成されているパウチ。
【０１２９】
上記パウチの切断部は、通蒸ガイド線の端部に対応している。このため、通蒸ガイド線により通蒸シール部を通蒸部から分離することにより、通蒸ファスナー部が開口ファスナー部から分離される。このため、通蒸シール部を通蒸部から分離する作業、および通蒸ファスナー部を開口ファスナー部から分離する作業が連続した１つの作業となる。
【０１３０】
（付記手段２）
前記袋は、前記ファスナーに対して前記内部空間側に位置する袋所定部分を有し、前記切断部は、前記ファスナーを切断する中間切断部と、前記中間切断部に連続して前記袋所定部分を切断する第１所定切断部と、前記第１所定切断部における前記内部空間側の端部に位置する第２所定切断部と、前記第１所定切断部と前記第２所定切断部とを分断する中断部分とを有する（付記手段１）に記載のパウチ。
【０１３１】
上記袋の切断部は、第１所定切断部および第２所定切断部を有するため、第１所定切断部および第２所定切断部を有していない構成と比較して、袋所定部分を容易に分離することができる。一方、第１所定切断部および第２所定切断部を有することにともない、袋における中間切断部の延長線上の部分を分離する力が袋に作用するとき、袋所定部分において第２所定切断部の端部よりも内部空間側の部分が第２所定切断部から順に切断する可能性がある。そして、第２所定切断部から順に生じる切断が内部空間に到達した場合には、内部空間が密閉されなくなる。上記パウチは、このような予測を踏まえて、第１所定切断部と第２所定切断部との間に中断部分を形成している。このため、袋における中間切断部の延長線上の部分を分離する上記力が袋に作用するとき、この力が中断部分を切断するための力として作用する。このため、袋所定部分において第２所定切断部の端部よりも内部空間側の部分が第２所定切断部から順に切断される可能性が低減される。
【０１３２】
（付記手段３）
前記袋は、前記切断部の延長線上において切断抑制構造を有し、前記切断抑制構造は、前記切断部の延長線上に沿う前記袋のシール部の切断が前記内部空間に到達することを妨げる構造を有する（付記手段１）または（付記手段２）に記載のパウチ。
【０１３３】
上記袋は、切断抑制構造を有するため、袋における中間切断部の延長線上の部分を分離する力が袋に作用するとき、袋のシール部がこの力により内部空間まで切断されることが抑制される。
【符号の説明】
【０１３４】
１…内容物封入パウチ、１０…内容物、１００…パウチ、１１０…袋、１１１…第１角部、１１２…第２角部、１１３…第３角部、１１４…第４角部、１１５…第１側方縁、１１６…第２側方縁、１１７…上縁、１１８…下縁、１１９…内部空間、１２０…シール部、１２１…第１側方シール部、１２１Ａ…側方シール上部分、１２１Ｂ…側方シール下部分、１２２…第２側方シール部、１２３…上方シール部、１２４…下方シール部、１３０…第１袋部分、１３１…袋本体部、１３１Ａ…第１側方部、１３１Ｂ…第２側方部、１３２…底ガゼット、１３３…第１突出部分、１３４…第２突出部分、１３５…第１開口部、１３６…第２開口部、１３７…袋所定部分、１３８…切断抑制部分、１４０…通蒸部、１４１…通蒸路、１４２…通路シール部、１５０…第２袋部分、１５１…開口シール部、１５２…通蒸シール部、１６０…ガイド線、１６１…開口ガイド線、１６２…通蒸ガイド線、１６３…切断部、１６４…中間切断部、１６５…第１所定切断部、１６６…第２所定切断部、１６７…中断部分、１６８…ノッチ、１７０…ファスナー、１７１…開口ファスナー部、１７２…通蒸ファスナー部、２００…パウチ、２１０…袋、２１１…第１角部、２１２…第２角部、２１３…第３角部、２１４…第４角部、２１５…第１側方縁、２１６…第２側方縁、２１７…上縁、２１８…下縁、２１９…内部空間、２２０…シール部、２２１…第１側方シール部、２２１Ａ…側方シール上部分、２２１Ｂ…側方シール下部分、２２２…第２側方シール部、２２３…上方シール部、２２４…下方シール部、２３０…第１袋部分、２３１…袋本体部、２３１Ａ…第１側方部、２３１Ｂ…第２側方部、２３２…底ガゼット、２３３…突出部分、２３５…第１開口部、２３６…第２開口部、２３７…凹形状、２５０…第２袋部分、２５１…開口シール部、２６０…ガイド線、２６１…開口ガイド線、２６２…ノッチ、２７０…ファスナー、２７１…開口ファスナー部、３００…パウチ、３１０…廃棄部分、４００…充填機、４１０…把持部、４２０…ノズル、５００…シール装置、６００…型パウチ、７００…パウチ、７１０…内容物封入パウチ、８００…ファスナー、８１０…雌型、８１１…雌型基材、８１２…雌型主要部、８１３…開封側爪、８１４…内容物側爪、８２０…雄型、８２１…雄型基材、８２２…雄型主要部、８２３…支持部、８２４…先端部、８２４Ａ…開封側爪、８２４Ｂ…内容物側爪、９００…易開封シール部、９１０…主要部、９２０…袋シール部、９５０…パウチ、９５１…通蒸部、９５１Ａ…開口。
【図１】
0005783190.tif 000002
【図２】
0005783190.tif 000003
【図３】
0005783190.tif 000004
【図４】
0005783190.tif 000005
【図５】
0005783190.tif 000006
【図６】
0005783190.tif 000007
【図７】
0005783190.tif 000008
【図８】
0005783190.tif 000009
【図９】
0005783190.tif 000010
【図１０】
0005783190.tif 000011
【図１１】
0005783190.tif 000012
【図１２】
0005783190.tif 000013
【図１３】
0005783190.tif 000014
【図１４】
0005783190.tif 000015
【図１５】
0005783190.tif 000016